(57)【要約】    【課題】  照射方向を簡単に調節することができ、その照射方向を安定して保持する照明器具を提供する。    【解決手段】  電球２６を備えた灯具２と、照明器具１を被取付部に固定するための取付台３と、前記灯具２と取付台３との間を連結するアーム４とからなり、前記灯具２が垂直方向に回動可能に皿ボルト４２により前記アーム４に軸支された照明器具１において、アーム４には前記皿ボルト４２が回転自在に挿通される貫通孔４１を開設し、前記灯具２の連結部２７には前記皿ボルト４２が螺合する螺溝２９を設けた貫通孔５８を開設し、前記皿ボルト４２が前記螺溝２９内の所定位置まで螺合し前記灯具２をアーム４に軸支するとともに、前記皿ボルト４２の挿入端部を軸方向に押圧する押ねじ４５が螺溝２９内に螺合されている。    【選択図】  図３
2006269111.tif 000002
【特許請求の範囲】
【請求項１】
光源を備えた灯具と、被取付部に照明器具を固定するための取付台と、前記灯具と取付台との間を連結するアームとからなり、前記アームが水平方向に回動可能に前記取付台に取り付けられ、前記灯具が垂直方向に回動可能に回動軸により前記アームに軸支された照明器具において、
前記回動軸がボルトからなり、前記灯具とアームとの一方には前記ボルトが回転自在に挿通される貫通孔を設け、他方には前記ボルトが螺合する螺溝を設けた貫通孔を設け、
前記ボルトが前記螺溝内の所定位置まで螺合し前記灯具を前記アームに回動可能に軸支するとともに、前記ボルトの挿入端部を軸方向に押圧する押ねじが前記螺溝内に螺合されている
ことを特徴とする照明器具。
【請求項２】
前記灯具とアームとが当接する回動部、及び前記ボルトが挿入される貫通孔開口部に防水部材が配されたことを特徴とする請求項１に記載の照明器具。
【請求項３】
前記照明器具がスポットライト型である請求項１又は２に記載の照明器具。
【発明の詳細な説明】
【技術分野】
【０００１】
本発明は、照明器具に関し、より詳しくは光の照射方向を簡単に調節することができ、その照射方向を安定して保持することができる照明器具に関する。
【背景技術】
【０００２】
従来より、屋内外の被取付部に取付台を取り付け、一端側に照射口を有する大略円筒体からなる灯具本体を取付台に設けたアームに軸支させ、取付台とアームとの連結部で灯具を水平方向と垂直方向に回動可能として光の照射方向を自在に変更することのできる、例えばスポットライト型の照明器具が知られている（例えば、特許文献１）。
【０００３】
このような照明器具は、灯具本体の連結部とアームとに設けられた軸孔にボルトなどの回動軸を一方から挿通し、他方の軸孔内に設けた螺溝にボルトを螺合させて連結部とアームとを締め付けて灯具が回動できるように軸支されている。また、ボルトを連結部とアームとに開設した軸孔に回転自在に挿通させて軸支し、灯具の照射方向を変更した後、外部からナットなどをボルトに螺着させ連結部とアームを締め付け照射方向を固定するものが一般的であった。
【特許文献１】特開平１１−１６２２２４号公報
【発明の開示】
【発明が解決しようとする課題】
【０００４】
上記のようにボルトで灯具本体とアームとを締め付けるものは、灯具の自重や振動によりボルトの螺合部に次第に緩みを生じ使用中に照射方向が変化してしまうという問題があり、また、照射方向を変更する都度ドライバーや六角棒などを用いてボルトを緩めて照射方向の調整する必要があり、工具を必要とし手間がかかっていた。
【０００５】
そこで、本発明は、上記の問題に鑑みてなされたものであり、光の照射方向を簡単に調節することができ、その照射方向を安定して保持することができる照明器具を提供することを目的とするものである。
【課題を解決するための手段】
【０００６】
本発明の照明器具は、光源を備えた灯具と、被取付部に照明器具を固定するための取付台と、前記灯具と取付台との間を連結するアームとからなり、前記アームが水平方向に回動可能に前記取付台に取り付けられ、前記灯具が垂直方向に回動可能に回動軸により前記アームに軸支された照明器具において、前記回動軸がボルトからなり、前記灯具とアームとの一方には前記ボルトが回転自在に挿通される貫通孔を設け、他方には前記ボルトが螺合する螺溝を設けた貫通孔を設け、前記ボルトが前記螺溝内の所定位置まで螺合し前記灯具を前記アームに回動可能に軸支するとともに、前記ボルトの挿入端部を軸方向に押圧する押ねじが前記螺溝内に螺合されていることを特徴とする。
【０００７】
本発明においては、前記灯具とアームとが当接する回動部、及び前記ボルトが挿入される貫通孔開口部に防水部材が配されていることが好ましい。
【０００８】
そして、本発明の照明器具は、スポットライト型の照明器具として好適である。
【発明の効果】
【０００９】
本発明の照明器具によると、回動軸としてのボルトが灯具とアームとを貫通する軸孔の一方から挿通され他方の螺溝内の所定位置まで螺合されることで、灯具は回動抵抗を適度にしてアームに回動可能に軸支され、前記ボルトの挿入端部を軸方向に押圧する押ねじを螺溝内に螺合させることで、前記ボルトと押圧部材としての押ねじとが互いに軸反対方向に押し合いボルトをロックしてボルトの緩みを防ぎ灯具の照射方向を安定に保持することができる。
【００１０】
このような押ねじを用いた簡単な押圧機構で照射方向を安定させることができ、その押圧力の調整も押ねじの螺合状態の調整により簡単に行え、適度な回動抵抗を軸支部に付与し照射方向の微調整が容易になり、照射方向の変更時にボルトなどを緩めるための工具が不要となる。
【００１１】
さらに、防水部材を用いることで、水や塵埃の侵入を防止して屋外使用での照明器具の耐久性を大幅に向上することができる。
【発明を実施するための最良の形態】
【００１２】
以下、本発明の実施の形態を図面に基づいて説明する。
【００１３】
本実施形態の照明器具１はスポットライト型であり、主として地上や建屋の外部などの屋外の被取付部に取り付けられるもので、取付台に取り付けたアームに軸支された灯具を水平方向と垂直方向に回動させ光の照射方向を自在に変更することができるものである。
【００１４】
図１は照明器具１の灯具上半分の内部を示した側面図、図２は照明器具１の正面図、図３はその回動部の主要部分断面を示した背面図、図４は図３の軸支部の拡大図である。
【００１５】
照明器具１は、電球２６を灯具本体２１内に備えた灯具２と、被取付面に照明器具１を固定するための取付台３と、灯具２と取付台３との間を連結するアーム４とからなっている。
【００１６】
前記アーム４はその基部４７において前記取付台３に水平方向に回動可能に取り付けられ、前記灯具２は前記アーム４に垂直方向に回動可能に軸支され、これにより取付台３にアーム４を介して灯具２が連結され、灯具２の照射方向を水平方向、上下方向に自在に変更できる照明器具１を構成している。
【００１７】
灯具２は、前面が開口された筒状の灯具本体２１内後方に設けられたソケット取付具２５にねじＭで固定されたソケット２４に電球２６が取り付けられ、前面に透光ガラス２３を備えた筒状のフード２２が灯具本体２１の前面外側から防水パッキン５４を介してねじ込みにより覆設され灯具２の内部を閉塞し防水性を確保している。なお、ソケット取付具２５は放熱効果を向上させる点で、アルミニウム製を用いることが好ましい。
【００１８】
灯具本体２１の下部には六角穴付きなどの皿ボルト４２によりアーム４に軸支され、灯具２を上下方向に回動可能にさせるための連結部２７が灯具本体２１から突出して設けられ、連結部２７の内部には照明器具１への給電用の電源線やアース線３４が取付台３とアーム４の内部を通して灯具本体２１に配線され、灯具２に電力が供給される。このアース線は放熱効果を高めるために太いものが好ましい。
【００１９】
図１に示すように、灯具２の照射方向は上方向に約９０°（２Ａに示す位置）、下方向に約６０°（２Ｂに示す位置）の範囲で上下方向に適度の回動抵抗を有し、すなわち灯具２を手により容易に回動することができ、かつ回動した後はその位置を安定して保持することができる抵抗を備えて回動可能になるようにアーム４に軸支され、任意の位置で灯具２の照射方向を固定できるようになっている。
【００２０】
上記灯具本体２１の連結部２７には、アーム４に軸支されるための皿ボルト４２が螺合する螺溝２９を内周に設けた貫通孔２８が開設されている。
【００２１】
取付台３は、底面周縁に鍔部３３を備えたフランジ部３１と、フランジ部３１の上部に突出する台座３５を設けてアーム４が取り付けられ、配線３４を外部に導いて被取付面に固定用ナット３２で固定されるようになっている。
【００２２】
アーム４の基部４７は、取付台３に設けられた台座３５に開設された円筒状のアーム取付穴３６に、下部外周にねじ溝が設けられた基端部４８がワッシャーＷを配して挿入され、台座３５の上側内面とストッパー３７の間にウェーブワッシャー３８を配して適度の回動抵抗が基部４７と台座３５の間に付与されるようにナット３９により螺着され、取付台３に対して水平方向に回動可能に取り付けられている。そして、基部４７とアーム取付穴３６の間にはシリコンゴム等からなるリング状の止水パッキン５１が配設され防水処理が施されている。
【００２３】
アーム４には、皿ボルト４２が回転自在に挿通される貫通孔４１が開設され、その開口部は皿ボルト４２の頭部を収納する凹部４６が設けられ、貫通孔４１の内側端部が前記連結部２７側の貫通孔２８の内側端部に当接し、皿ボルト４２が貫通孔４１から貫通孔２８に挿通されるようになっている。
【００２４】
図に示すように、皿ボルト４２はアーム４側の貫通孔４１からワッシャー４３とリング状の止水ゴム５３とを開口凹部４６内に配して貫通孔４１内では回転自在に挿入され、ワッシャー４４を配して当接する灯具２側の連結部２７の貫通孔２８に挿通され、貫通孔２８内の螺溝２９内の所定位置（図では螺溝２９の中央部付近）まで螺合される。この時、皿ボルト４２はリング状ワッシャー４３に皿の斜面が周上で当設することで貫通孔４１の中心にボルト軸心が来るようになり、これによりアーム４側の貫通孔４１と連結部２７側の貫通孔２８との軸心が一致し、灯具の回動動作をスムーズにする。また、皿ボルト４２により圧縮状態にある止水ゴム５３によって貫通孔４１内の空間部の防水性が確保される。
【００２５】
これにより、灯具２はアーム４に対して上下方向に回動可能に軸支され、ボルト４２に締め込み位置の調整により灯具２の回動抵抗を適度にし、手による灯具２の回動作業を行いやすくするとともに、変更した位置を安定して保持し照射方向を固定するようになる。
【００２６】
一方、連結部２７側の貫通孔２８の外方開口部からは、着脱自在の押ねじ４５が皿ボルト４２の挿入端部に当接するように螺溝２９に螺合され、貫通孔２８内で押ねじ４５と皿ボルト４２の挿入端部とが互いに軸方向に押し合う押圧状態になされている。
【００２７】
このように押ねじ４５によって皿ボルト４２の挿入端部を押圧することで、皿ボルト４２の回転を止めて螺合状態をロックするロック機構が作用し、灯具２の自重や振動などによる皿ボルト４２の緩みを防止し灯具２の照射方向を安定に保持することができる。
【００２８】
また、皿ボルト４２の螺合位置を任意に調整した上で押ねじ４５のロック機能を働かせることで、連結部２７とアーム４との当接力を微調整し灯具２の回動抵抗を最適に調整することができ、照射方向の変更作業を行いやすくし、変更後はその位置を確実に固定することができる。また、一旦皿ボルト４２の螺合位置や押ねじ４５の押圧状態を決めると、灯具２の照射方向の変更時にはボルトなどを緩めるための工具を必要とせず、作業性を大幅に向上することができる。
【００２９】
そして、連結部２７の周縁部１９とアーム４の当接部４９との間にはシリコンゴムなどからなるリング状の止水パッキン５２が圧縮変形された状態で配設され照明器具１の密閉性を向上し、屋外使用においても水や塵埃の侵入を防ぎ照明器具１の耐久性を向上することができる。
【００３０】
なお、上記実施形態においては、図に示すスポットライト型の照明器具１に従い本発明を説明したが、光源の種類や照明用途に合わせて灯具本体やアーム等を形状、大きさ、長さ等を適宜選択し使用することができるもので、本発明は上記実施形態に何ら限定されるものではない。
【産業上の利用可能性】
【００３１】
以上の通り、本発明の照明器具は、屋内用としては勿論、防水処理を施したものは屋外用の各種用途の照明器具として使用することができ、地上や建屋の外部など屋外に於いて露出状態で使用される照明装置として、またプールや噴水などの水を使用する周辺の照明装置として広く用いることができ、特に光の照射方向を容易に変更できることからスポットライトとして好適である。
【図面の簡単な説明】
【００３２】
【図１】実施形態の照明器具の灯具上半分の内部を示した側面図である。
【図２】同上照明器具の正面図である。
【図３】同上の回動部の主要部分断面を示す背面図である。
【図４】図３の軸支部の拡大図である。
【符号の説明】
【００３３】
１……照明器具
２……灯具
３……取付台
４……アーム
２９……螺溝
４１……貫通孔
４２……皿ボルト
４５……押ねじ
５８……貫通孔
【図１】
2006269111.tif 000003
【図２】
2006269111.tif 000004
【図３】
2006269111.tif 000005
【図４】
2006269111.tif 000006